(57)【特許請求の範囲】
【請求項１】
被写体像を撮像して画像データを生成する撮像部と、
前記撮像部で生成された前記画像データに実質的なロスレス圧縮を施して圧縮データを生成するロスレス圧縮部と、
前記圧縮データのデータ量が、予め定められた閾値を上回るか否かを判定する圧縮判定部と、
前記圧縮判定部の判定により、前記圧縮データのデータ量が前記閾値を上回る場合は、前記画像データを非圧縮で記録媒体に記録し、それ以外の場合は、前記圧縮データを前記記録媒体に記録する記録部と
を備えたことを特徴とする電子カメラ。
【請求項２】
請求項１に記載の電子カメラにおいて、
前記記録媒体の残容量または残コマ数を大小判定して前記残容量に余裕があるか否かを判定する残容量判定部を備え、
前記記録部は、前記残容量判定部において前記記録媒体の前記残容量に余裕があると判定された場合、前記圧縮データのデータ量に係わらず、前記圧縮データを前記記録媒体に記録する
ことを特徴とする電子カメラ。
【請求項３】
請求項１または請求項２に記載の電子カメラにおいて、
前記閾値は、前記画像データを非圧縮で記録する場合に必要となるデータ量である
ことを特徴とする電子カメラ。
【請求項４】
請求項１ないし請求項３のいずれか１項に記載の電子カメラにおいて、
前記記録媒体の残容量を前記閾値で割った商を残コマ数として求め、前記残コマ数に基づいて撮影続行可能か否かを判断する残コマ数管理部を備えた
ことを特徴とする電子カメラ。
【請求項５】
請求項４に記載の電子カメラにおいて、
前記撮像部で生成される複数の前記画像データを一時記憶するバッファメモリを備え、
前記残コマ数管理部は、前記バッファメモリの残容量を前記画像データのデータ量で割った商を速写可能コマ数として求め、前記残コマ数と前記速写可能コマ数のいずれか少ない方に基づいて撮影続行可能か否かを判断する
ことを特徴とする電子カメラ。
【発明の詳細な説明】
【０００１】
【発明の属する技術分野】
本発明は、被写体像を撮像して画像データを生成し、その画像データを記録媒体に保存する電子カメラに関する。
【０００２】
【従来の技術】
従来、電子カメラとして、画像データに固定長圧縮（圧縮ファイルのデータ量が略一定になるように圧縮するもの）を施し、圧縮後のデータを記録媒体に保存するものが知られている。このような固定長圧縮では、記録媒体の残コマ数管理を正確かつ容易に行えるといった利点があった。
【０００３】
ところで、このような固定長圧縮では、データ量を略一定に抑えるため、圧縮処理の段階で、量子化スケールの拡大や、ビットストリームの打ち切りなどが行われる。これらの処理では、視覚的に目立たない範囲で画像情報の削除が行われる。
しかしながら、特に高画質が要求される用途（製版用に画像加工を行う／画像を拡大表示するなど）では、この画像情報の削除が問題になる。
【０００４】
そこで、一部の電子カメラには、画像データにロスレス圧縮（可逆圧縮）を施して記録するものがある。例えば、このようなロスレス圧縮としては、ＤＰＣＭ（Differential Pulse Code Modulation）などがよく知られている。このＤＰＣＭでは、色コンポーネント(R,G,B等)毎に隣接画素の差を取り、その差分データにハフマン符号化を施す。
【０００５】
また、一部の電子カメラには、画像データに近似的なロスレス圧縮を施して記録するものがある。例えば、このような近似ロスレス圧縮としては、画像圧縮に先立って画像データに前処理を行い、圧縮効率を上げるものが知られている。この前処理の過程において、画像データから僅かな情報が失われる。
【０００６】
【発明が解決しようとする課題】
ところで、これらのロスレス圧縮（以下、近似ロスレス圧縮も含む）は、データ量の変化する可変長圧縮である。そのため、ロスレス圧縮では、記録媒体の残コマ数管理が困難になるという問題点があった。
特に、残コマ数「１」の状態で、ロスレス圧縮後のデータ量が残容量を上回った場合、撮影後の画像データを記録媒体に保存できないといった問題を生じる。
また、残コマ数が「１」以上であっても、電子カメラが速写用のバッファメモリを持っている場合には、同様の問題が生じる。すなわち、このような電子カメラは、複数コマの画像データをバッファメモリに逐次蓄積する。この状態で、バッファメモリ内の画像データの圧縮総量が、残容量を上回った場合、画像データの全てを記録媒体に保存できないという問題が生じる。
【０００７】
特に、ユーザーがロスレス圧縮を選択するというケースは、ユーザーにとって最重要の撮影であることを意味する。したがって、このようなケースでは、撮影結果を保存できないというアクシデントを極力回避しなければならない。
【０００８】
そこで、本発明は、ロスレス圧縮を行う電子カメラにおいて、撮影結果を保存できないというアクシデントをより確実に回避することを目的とする。
【０００９】
【課題を解決するための手段】
上述した課題を解決するため、本発明は下記のように構成される。
【００１０】
《請求項１》
請求項１に記載の電子カメラは、被写体像を撮像して画像データを生成する撮像部と、撮像部で生成された画像データに実質的なロスレス圧縮を施して圧縮データを生成するロスレス圧縮部と、圧縮データのデータ量が、予め定められた閾値を上回るか否かを判定する圧縮判定部と、圧縮判定部の判定により、圧縮データのデータ量が閾値を上回る場合は、画像データを非圧縮で記録媒体に記録し、それ以外の場合は、圧縮データを記録媒体に記録する記録部とを備える。
【００１１】
《請求項２》
請求項２に記載の電子カメラは、請求項１に記載の電子カメラにおいて、記録媒体の残容量または残コマ数を大小判定して残容量に余裕があるか否かを判定する残容量判定部を備え、記録部は、残容量判定部において記録媒体の残容量に余裕があると判定された場合、圧縮データのデータ量に係わらず、圧縮データを記録媒体に記録することを特徴とする。
【００１２】
《請求項３》
請求項３に記載の電子カメラは、請求項１または請求項２に記載の電子カメラにおいて、閾値は、画像データを非圧縮で記録する場合に必要となるデータ量であることを特徴とする。
【００１３】
《請求項４》
請求項４に記載の電子カメラは、請求項１ないし請求項３のいずれか１項に記載の電子カメラにおいて、記録媒体の残容量を閾値で割った商を残コマ数として求め、残コマ数に基づいて撮影続行可能か否かを判断する残コマ数管理部を備えたことを特徴とする。
【００１４】
《請求項５》
請求項５に記載の電子カメラは、請求項４に記載の電子カメラにおいて、撮像部で生成される複数の画像データを一時記憶するバッファメモリを備え、残コマ数管理部は、バッファメモリの残容量を画像データのデータ量で割った商を速写可能コマ数として求め、残コマ数と速写可能コマ数のいずれか少ない方に基づいて撮影続行可能か否かを判断することを特徴とする。
【００１５】
【発明の実施の形態】
以下、図面に基づいて、請求項１〜５にかかる実施形態を説明する。
【００１６】
《本実施形態の構成》
図１は、本実施形態の電子カメラ１１を示す図である。
図１において、電子カメラ１１には、撮影レンズ１２が装着される。この撮影レンズ１２の像空間には、撮像素子１３の撮像面が配置される。この撮像素子１３から出力される画像データは、Ａ／Ｄ変換部１４を介してデジタル化された後、信号処理部１５に出力される。
【００１７】
信号処理部１５は、この画像データに信号処理（ガンマ補正や黒レベル補正など）を施した後、バス１６を介してバッファメモリ１７にリアルタイムに一旦蓄積する。その後、信号処理部１５は、バッファメモリ１７内の画像データに対して、色補間処理などの２次元画像処理を施す。
【００１８】
その他、バス１６には、システム制御用のＭＰＵ（マイクロプロセッサ）１８、システムメモリ１９、画像データにロスレス圧縮を施して圧縮データを生成するロスレス圧縮部２０、およびカード記録部２１が接続される。このカード記録部２１には、メモリカード２２が着脱自在に接続される。
【００１９】
なお、バッファメモリ１７とシステムメモリ１９とを一つのメモリにまとめることも可能である。その場合、バッファメモリとして利用できる記憶容量は、メモリの全記憶容量から、システムメモリの容量分を差し引いた残りである。
また、専用のロスレス圧縮部２０を設ける代わりに、ＭＰＵ１８によるソフトウェア圧縮を使用することにより、ロスレス圧縮を実現しても良い。
【００２０】
《本発明との対応関係》
以下、本発明との対応関係について説明する。なお、ここでの対応関係は、参考のために一解釈を例示するものであり、本発明を徒らに限定するものではない。
まず、請求項１，３の記載事項と本実施形態との対応関係については、撮像部は撮影レンズ１２および撮像素子１３に対応し、ロスレス圧縮部はロスレス圧縮部２０に対応し、圧縮判定部はＭＰＵ１８の『圧縮データのデータ量が閾値を上回るか否かを判定する機能』に対応し、記録部は、カード記録部２１およびＭＰＵ１８の『メモリカード２２に記録するデータを適宜切り替える機能』に対応する。
請求項２の記載事項と本実施形態との対応関係については、残容量判定部が、ＭＰＵ１８の『メモリカード２２の残容量に余裕があるか否かを判定する機能』に対応する。
請求項４の記載事項と本実施形態との対応関係については、残コマ数管理部が、ＭＰＵ１８の『メモリカード２２の残コマ数を推定し、撮影続行可能か否かを判定する機能』に対応する。
請求項５の記載事項と本実施形態との対応関係については、バッファメモリはバッファメモリ１７に対応する。
【００２１】
《単写撮影の動作説明》
図２は、電子カメラ１１において単写撮影を行う場合の動作を示す流れ図である。以下、図２に示すステップ番号に従って、単写撮影の動作を説明する。
【００２２】
［ステップＳ１］  まず、ＭＰＵ１８は、記録時の画像解像度の設定をシステムメモリ１９などから取得する。ＭＰＵ１８は、この画像解像度に基づいて、画像データを非圧縮記録する際のデータ量を算出する。ＭＰＵ１８は、このデータ量を閾値に設定する。
【００２３】
［ステップＳ２］  ＭＰＵ１８は、メモリカード２２の残容量をカード記録部２１から取得する。ＭＰＵ１８は、この残容量を閾値で割った商を求め、この商を残コマ数に設定する。
【００２４】
［ステップＳ３］  ＭＰＵ１８は、残コマ数が「１」以上か否かを判定する。
残コマ数が「１」以上の場合、ＭＰＵ１８は、撮影続行可能であると判断して、ステップＳ５に動作を移行する。
一方、残コマ数が「１」未満の場合、ＭＰＵ１８は、撮影続行できないと判断して、ステップＳ４に動作を移行する。
【００２５】
［ステップＳ４］  ＭＰＵ１８は、電子カメラ１１の表示画面（不図示）に、メモリカード２２が満杯であることを表示し、単写撮影の動作を中止する。
【００２６】
［ステップＳ５］  一方、残コマ数が「１」以上の場合、ＭＰＵ１８は、撮像素子１３を制御して被写体の撮像を行う。撮像素子１３から出力される画像データは、Ａ／Ｄ変換部１４および信号処理部１５の処理を完了した後、バッファメモリ１７に記録される。
【００２７】
［ステップＳ６］  ＭＰＵ１８は、ロスレス圧縮部２０に対し、画像データのロスレス圧縮を命令する。ロスレス圧縮部２０は、バッファメモリ１７内の画像データをロスレス圧縮し、生成された圧縮データをシステムメモリ１９内に一時記憶する。
【００２８】
［ステップＳ７］  ＭＰＵ１８は、残コマ数が「１」か否かを判定する。
残コマ数が「１」以外の場合、ＭＰＵ１８は、メモリカード２２の残容量に余裕があると判断して、ステップＳ９に動作を移行する。
一方、残コマ数が「１」の場合、ＭＰＵ１８は、メモリカード２２の残容量に余裕がないと判断して、ステップＳ８に動作を移行する。
【００２９】
［ステップＳ８］  ＭＰＵ１８は、圧縮データのデータ量と閾値とを比較する。
圧縮データのデータ量が閾値以下の場合、ＭＰＵ１８は、ステップＳ９に動作を移行する。
一方、圧縮データのデータ量が閾値を上回る場合、ＭＰＵ１８は、ステップＳ１０に動作を移行する。
【００３０】
［ステップＳ９］  ＭＰＵ１８は、システムメモリ１９内の圧縮データをカード記録部２１へ転送する。カード記録部２１は、この圧縮データを、画像ファイルの形式でメモリカード２２に記録する。このような記録動作の後、ＭＰＵ１８は、単写撮影の動作を終了する。
【００３１】
［ステップＳ１０］  ここでは、圧縮データのデータ量が閾値を上回っている。このようなケースは、極希であるが、ロスレス圧縮のハフマン符号化テーブルなどが画像データに対して不適切である場合に発生する。
このケースにおいて、ＭＰＵ１８は、バッファメモリ１７内に残存する非圧縮データ（非圧縮の画像データ）をカード記録部２１へ転送する。カード記録部２１は、この非圧縮データを、画像ファイルの形式でメモリカード２２に記録する。このような記録動作の後、ＭＰＵ１８は、単写撮影の動作を終了する。
【００３２】
《連写撮影の動作説明》
図３は、電子カメラ１１において連写撮影を行う場合の動作を示す流れ図である。以下、図３に示すステップ番号に従って、連写撮影の動作を説明する。
【００３３】
［ステップＳ２１］  まず、ＭＰＵ１８は、記録時の画像解像度の設定をシステムメモリ１９などから取得する。ＭＰＵ１８は、この画像解像度に基づいて、画像データを非圧縮記録する際のデータ量を算出する。ＭＰＵ１８は、このデータ量を閾値に設定する。
【００３４】
［ステップＳ２２］  ＭＰＵ１８は、メモリカード２２の残容量を取得する。ＭＰＵ１８は、この残容量を閾値で割った商を求め、この商を残コマ数に設定する。
【００３５】
［ステップＳ２３］  ＭＰＵ１８は、残コマ数が「１」以上か否かを判定する。
残コマ数が「１」以上の場合、ＭＰＵ１８は、撮影続行可能であると判断して、ステップＳ２５に動作を移行する。
一方、残コマ数が「１」未満の場合、ＭＰＵ１８は、撮影続行できないと判断して、ステップＳ２４に動作を移行する。
【００３６】
［ステップＳ２４］  ＭＰＵ１８は、電子カメラ１１の表示画面（不図示）に、メモリカード２２が満杯であることを表示して、連写撮影の動作を中止する。
【００３７】
［ステップＳ２５］  ＭＰＵ１８は、撮像素子１３を制御して被写体の撮像を行う。撮像素子１３から出力される画像データは、Ａ／Ｄ変換部１４および信号処理部１５の処理を完了した後、バッファメモリ１７に記録される。
【００３８】
［ステップＳ２６］  ＭＰＵ１８は、バッファメモリ１７の残容量を取得する。ＭＰＵ１８は、この残容量を閾値で割った商を求め、この商を速写可能コマ数に設定する。
【００３９】
［ステップＳ２７］  ＭＰＵ１８は、ステップＳ２５による１コマ分の撮影動作に従って、残コマ数を１コマ分だけ減らす。
【００４０】
［ステップＳ２８］  ＭＰＵ１８は、残コマ数および速写可能コマ数のいずれか小さい値を選択する。ＭＰＵ１８は、選択した値が「１」以上か否かを判定する。
選択した値が「１」以上の場合、ＭＰＵ１８は、撮影続行可能であると判断して、ステップＳ２５に動作を戻す。
一方、選択した値が「１」未満の場合、ＭＰＵ１８は、撮影続行できないと判断して、ステップＳ２９に動作を移行する。
【００４１】
［ステップＳ２９］  ＭＰＵ１８は、ロスレス圧縮部２０に対し、画像データのロスレス圧縮を命令する。ロスレス圧縮部２０は、バッファメモリ１７内の画像データ１つ分に対してロスレス圧縮を施す。このとき生成される圧縮データはシステムメモリ１９内に一時記憶される。
【００４２】
［ステップＳ３０］  ＭＰＵ１８は、残コマ数が「１」以下か否かを判定する。
残コマ数が「１」以下の場合、ＭＰＵ１８は、メモリカード２２の残容量に余裕がないと判断して、ステップＳ３１に動作を移行する。
一方、残コマ数が「１」よりも多い場合、ＭＰＵ１８は、メモリカード２２の残容量に余裕があると判断して、ステップＳ３２に動作を移行する。
【００４３】
［ステップＳ３１］  ＭＰＵ１８は、圧縮データのデータ量と閾値とを比較する。
圧縮データのデータ量が閾値以下の場合、ＭＰＵ１８は、ステップＳ３２に動作を移行する。
一方、圧縮データのデータ量が閾値を上回る場合、ＭＰＵ１８は、ステップＳ３３に動作を移行する。
【００４４】
［ステップＳ３２］  ＭＰＵ１８は、システムメモリ１９内の圧縮データをカード記録部２１へ転送する。カード記録部２１は、この圧縮データを、画像ファイルの形式でメモリカード２２に記録する。このような記録動作の後、ＭＰＵ１８は、ステップＳ３４に動作を移行する。
【００４５】
［ステップＳ３３］  ここでは、圧縮データのデータ量が閾値を上回っている。この場合、ＭＰＵ１８は、バッファメモリ１７内に残存する非圧縮データ（非圧縮の画像データ）をカード記録部２１へ転送する。カード記録部２１は、この非圧縮データをメモリカード２２に、画像ファイルの形式で記録する。このような記録動作の後、ＭＰＵ１８は、ステップＳ３４に動作を移行する。
【００４６】
［ステップＳ３４］  ＭＰＵ１８は、連写撮影された画像の保存が全て完了したか否かを判定する。
画像の保存を全て完了していない場合、ＭＰＵ１８は、ステップＳ２９に動作を戻す。
一方、画像の保存を全て完了した場合、ＭＰＵ１８は、連写撮影の動作を終了する。
【００４７】
《本実施形態の効果など》
本実施形態では、ロスレス圧縮後のデータ量が予想外に大きくなる事態に即座に対処して、非圧縮データをメモリカード２２に記録する。この非圧縮データのデータ量は、（付随する情報コードの可変幅を除けば）画像解像度から予測可能な不変量である。したがって、メモリカード２２の残容量が非圧縮データのデータ量よりも大きいことを事前に確認しておけば、撮影結果がメモリカード２２に保存できないというアクシデントを確実に回避することが可能になる。
【００４８】
また、本実施形態では、メモリカード２２の残容量に余裕がある場合、圧縮データを例外なくメモリカード２２に記録する。したがって、圧縮データをメモリカード２２に記録することを前提にして、『ロスレス圧縮と並行して圧縮データをメモリカード２２に逐次記録する』といった高速化対策を適宜に実施することができる。
【００４９】
さらに、本実施形態では、連写コマ数の増加に従って、残容量の判定基準が引き上げられる（ステップＳ２７，Ｓ３０）。したがって、より早い段階で安全動作（ステップＳ３１〜３３）に移行するので、連写撮影後の画像データがメモリカード２２に保存できないといったアクシデントをより確実に回避できる。
【００５０】
また、本実施形態では、残コマ数と速写可能コマ数のいずれか少ない方に基づいて、撮影続行可能か否かの判断が行われる。したがって、連写撮影時において撮影続行可能か否かを正確に判断することが可能になる。
【００５１】
《本実施形態の補足事項》
なお、上述した実施形態では、ロスレス圧縮後に圧縮データのデータ量を求めている。しかしながら、本発明はこれに限定されるものではない。例えば、ＭＰＵ１８（圧縮判定部）が、ロスレス圧縮の途中経過に基づいて、圧縮データのデータ量が所定量を上回るか否かを判定（推測）してもよい。この場合、圧縮データのデータ量が所定量を上回るとの推測結果に基づいて、ロスレス圧縮部２０は余計なロスレス圧縮を中止することができる。その結果、電子カメラ１１の処理負担が軽減され、画像の保存処理を迅速に完了することが可能になる。
【００５２】
また、上述した実施形態では、閾値を『非圧縮データのデータ量』に設定している。しかしながら、本発明はこれに限定されるものではない。
例えば、閾値を『非圧縮データのデータ量』よりも小さい値に設定してもよい。この設定では、圧縮データ／非圧縮データのデータ量が均衡すると、非圧縮データが優先的に記録される。その結果、画像再生時に伸張処理を省いて再生動作を高速化できるなどの利点が得られる。
また例えば、閾値を『記録媒体の残容量』に設定してもよい。この設定では、ロスレス圧縮後のデータ量が記録媒体の残容量を上回ると、電子カメラ１１は、不可能と分かっている圧縮データの記録を諦め、非圧縮データの記録を試みる。その結果、撮影結果を保存できる確率を高めることができる。
【００５３】
【発明の効果】
《請求項１》
請求項１に記載の電子カメラは、ロスレス圧縮後のデータ量が所定の閾値を上回る場合、電子カメラは、圧縮データに代えて、非圧縮データ（非圧縮の画像データ）の記録を試みる。
この非圧縮データのデータ量は、画像の解像度から予測可能であり、ほぼ固定長である。したがって、この非圧縮データは、予想外にデータ量が増加している圧縮データよりも、より確実に記録媒体に記録することができる。その結果、ロスレス圧縮を行う電子カメラにおいて、撮影結果を保存できないというアクシデントをより確実に回避することが可能になる。
以下、閾値の設定ごとに場合分けをして、更に説明する。
まず、本発明では、上記の閾値を、非圧縮データのデータ量よりも大きく設定できる。この場合には、圧縮データ／非圧縮データのいずれを記録するにしても、データ量は閾値を決して上回らない。したがって、閾値を基準にして記録媒体の残容量を評価すれば、残コマ数管理を誤りなく行うことが可能になる。
また逆に、本発明では、上記の閾値を、非圧縮データのデータ量よりも小さく設定できる。この場合には、圧縮データ／非圧縮データのいずれを記録するにしても、データ量は非圧縮データのデータ量を決して上回らない。したがって、非圧縮データのデータ量を基準にして記録媒体の残容量を評価すれば、残コマ数管理を誤りなく行うことが可能になる。
このように、本発明では、上記いずれの設定であっても、誤りのない残コマ数管理を行うことが容易になる。
【００５４】
《請求項２》
通常、記録媒体の残容量に余裕があれば、圧縮データ量が予想外に多くなっても、記録媒体に保存できないという事態は生じない。そこで、請求項２に記載の電子カメラは、記録媒体の残容量に余裕があると判定すると、圧縮データを無条件で記録媒体に記録する。
その結果、電子カメラでは、圧縮データを記録媒体に記録することを前提にして、『ロスレス圧縮と並行して圧縮データを記録媒体に逐次記録する』といった高速化対策を実施することが可能になる。
なお、本発明では、電子カメラの連写（あるいは速写）時に、残容量判定部が残容量の判定基準を引き上げることが好ましい。この場合、連写時には、残容量に余裕がないとの判断が早い段階で為される。その結果、請求項１の安全動作により早い段階で移行することが可能になり、複数コマの画像データが記録媒体に保存できないといった事態をより確実に回避することが可能になる。
【００５５】
《請求項３》
請求項３に記載の電子カメラは、閾値を『非圧縮データのデータ量』に設定する。その結果、電子カメラは、圧縮データ／非圧縮データの内、いずれかデータ量の小さい方を記録媒体に記録する。したがって、ロスレス圧縮を行う電子カメラにおいて、記録媒体の記録容量を効率良く使用することが可能になる。
（ちなみに、ロスレス圧縮の圧縮データが非圧縮データよりも大きくなる現象は、極希に起こる。例えば、このような現象は、ハフマン符号化テーブルなどが画像データに対して不適当である場合に発生しやすい。）
【００５６】
《請求項４》
請求項４に記載の電子カメラは、記録媒体の残容量を閾値で割った商を残コマ数として求め、その残コマ数に基づいて撮影続行可能か否かを判断する。
このような動作により、撮影続行可能か否かを適切に判断することが可能になる。
【００５７】
《請求項５》
請求項５に記載の電子カメラは、バッファメモリの残容量を画像データのデータ量で割った商を速写可能コマ数として求め、残コマ数と速写可能コマ数のいずれか少ない方に基づいて撮影続行可能か否かを判断する。
このような動作により、連写時において撮影続行可能か否かを適切に判断することが可能になる。
【図面の簡単な説明】
【図１】本実施形態の電子カメラ１１を示す図である。
【図２】単写撮影を行う場合の動作を示す流れ図である。
【図３】連写撮影を行う場合の動作を示す流れ図である。
【符号の説明】
１１  電子カメラ
１２  撮影レンズ
１３  撮像素子
１４  Ａ／Ｄ変換部
１５  信号処理部
１６  バス
１７  バッファメモリ
１８  ＭＰＵ
１９  システムメモリ
２０  ロスレス圧縮部
２１  カード記録部
２２  メモリカード
【図１】
0004407055.tif 000002
【図２】
0004407055.tif 000003
【図３】
0004407055.tif 000004